(57)【要約】【課題】  外反母趾になる原因は色々考えられるが、結局は足指の機能が低下して、長い間の靴生活の中で弱った足先が靴の型に合わされ、親指が他の４指の方に寄ることから、親指の付け根が突起する。そのため、靴の圧迫や摩擦に拠る痛み、足の一部分に無理なねじれや体重が集中し、身体にアンバランスが生じることから、身体のどこかに過剰な負担がかかり、足の痛みだけでなく、膝や腰の痛み、肩こりや頭痛の原因を起こすものである。これら原因の除去のため、足指の機能回復が急務である。【解決手段】  足の親指と他の４指との間に楔型の仕切りをつくり、足先の機能が弱って小指の方向に寄っていた親指を、本来のあるべき位置に戻ろうとする自然治癒力を助けるため、足指の仕切りをつくり、足の親指と他の４指との間が常に一定の距離で開いている状態を維持する。同時に対症処置も講じるものである。【選択図】図１
0003138423.tif 000002
【実用新案登録請求の範囲】
【請求項１】
外反母趾矯正具
【考案の詳細な説明】
【技術分野】
【０００１】  本考案は、外反母趾矯正具である。足指の機能の低下を矯正具で補い、習慣づけて、弱った足先親指が元のあるべき姿に戻ろうとする自然治癒力を助ける目的で開発されたものである。軽量で薄く、日常生活に違和感無く溶け込める。
【背景技術】
【０００２】  従来から考えられていた外反母趾用具はその状態を与件としつつ、対症方として変形靴を用いたり、摩擦箇所を覆ったり、サポーターによる大掛かりな用具を用い、靴下履きにビジネス・シューズ、或いはハイヒールという日常の生活スタイルに馴染まないものが多いことと、矯正ということでは今一歩及ばないところが不満であった。
【考案の開示】
【考案が解決しようとする課題】
【０００３】  外反母趾になる原因は色々考えられるが、結局は足指の機能が低下して、長い間の靴生活の中で弱った足先が靴の型に合わされ、親指が他の４指の方に寄ることから、親指の付け根が突起する。そのため、靴の圧迫や摩擦に拠る痛み、足の一部分に無理なねじれや体重が集中し、身体にアンバランスが生じることから、身体のどこかに過剰な負担がかかり、足の痛みだけでなく、膝や腰の痛み、肩こりや頭痛の原因を起こすものである。これら原因の除去のため、足指の機能回復が急務である。
【課題を解決するための手段】
【０００４】  足の親指と他の４指との間に楔型の仕切りをつくり、足先の機能が弱って小指の方向に寄っていた親指を、本来のあるべき位置に戻ろうとする自然治癒力を助けるため、足指の仕切りをつくり、足の親指と他の４指との間が常に一定の距離で開いている状態を維持する。同時に対症処置も講じるものである。
【考案の効果】
【０００５】  靴下履きにビジネス・シューズ、或いはハイヒールという日常の生活スタイルに適用した状態で、外反母趾用具として用いながら、矯正具としても効果があり、弱った足指の回復に意を注いだものである。軽量にして、薄型。靴下の中に履き込むので、靴下と一体感があり、ずれたりせず、安定感があり、違和感無く、６０年間外反母趾で悩んできた自らの体験に基づいた、必要性から思いついた用具の開発である。
【考案を実施するための最良の形態】
【０００６】  ポリウレタン加工材を用い、楔型の足指の仕切りをつくり、足の親指と他の４指との間が常に一定の距離で開いている状態を維持する。
【実施例】
【０００７】  以下、添付図面をもとに実施例を説明する。【０００８】  図２は右足用の外反母趾矯正具の平面図である。図２−２の様な楔型の仕切り壁を足の親指と他の４指との間につくり、その間隔が常に一定の距離で開いている状態を維持する。材質はポリウレタン加工材を用い、芯は堅く、指の接着面は柔らかで、滑らかにする。同仕切り壁は接着剤で固定する。【０００９】  図１は本考案の意図するところを概観図で示したもので、足裏が接する底面３は薄くて、堅く丈夫な材質を使用し、広幅のゴムひもでカバーをつくり、足先だけの突っかけスリッパ様の履物状に作られ、靴下の中に履き込む。【００１０】  軽量で、薄型で、形状が本来の足の型に沿っているので、靴下を履く時にも支障無く、履き易いため、ビジネス・シューズやハイヒールを長時間履いても使用感無く、逆に長時間使用することにより、外反母趾矯正の効果が高まる。
【図面の簡単な説明】
【００１１】
【図１】本考案の外反母趾矯正具（右足用）の概観・全体図
【図２】上記外反母趾矯正具を上から見た平面図
【図３】上記外反母趾矯正具を横から見た側面図  なお図は右足用で、左足用は図示していないが、左右対称形として考案
【符号の説明】
【００１２】１  広幅のゴムひもで図１の様にカバーし、そこに足先を入れるようにする。
２  楔型の仕切り。足の親指と他の４指との間につくり、足の親指と他の４指との間隔が常に一定の距離で開いている状態を維持する。仕切りは接着剤で３の足底に固定する。
３  足裏が接する足底で、ポリウレタン樹脂加工の様な薄くて堅い、丈夫な材質を用いる。人工皮革の様なものでもよい。
【図１】
0003138423.tif 000003
【図２】
0003138423.tif 000004
【図３】
0003138423.tif 000005
【手続補正書】
【提出日】平成19年7月20日(2007.7.20)
【手続補正１】
【補正対象書類名】実用新案登録請求の範囲
【補正対象項目名】全文
【補正方法】変更
【補正の内容】
【実用新案登録請求の範囲】
【請求項１】
外反母趾を矯正するための用具で、靴下履きにビジネス・シューズ或いはハイヒールという日常生活スタイルに適用した状態で外反母趾に対処しながら、矯正具としても効果があり、長時間の使用に耐え得る工夫が本考案の特徴である。
足趾の第１指と第２指の間に矯正用の楔形のクッションを両指で挟むように設ける（図１〜３−２）。この楔形クッションは底部（図１〜３−３）に貼り付けられて固定しているため、両指の上下運動によってもずれることはない。
底部は薄い材質（例えばシリコン）を用い、足裏との接着が密で、使用感が極めて少ないのと、底部からはサポーターに使用する様な伸縮性のあるゴム帯（図１−１）で足の甲を覆うような形状になっており、足先だけの突っかけスリッパ様の形状である。軽量で薄形、靴下の中に履き込むので、靴下との一体感があり、ずれたりせず、安定感があり、違和感が無い。
足の親指と他の４指との間が常に一定の間隔で開いている状態を維持し、親指が外側に向かうように習慣付けることで、本来あるべき姿に戻ろうとする自然治癒力を助けることが重要である。
【手続補正書】
【提出日】平成19年10月3日(2007.10.3)
【手続補正１】
【補正対象書類名】実用新案登録請求の範囲
【補正対象項目名】全文
【補正方法】変更
【補正の内容】
【実用新案登録請求の範囲】
【請求項１】
外反母趾を矯正するための用具で、靴下履きにビジネス・シューズ或いはハイヒールという日常生活スタイルに適用した状態で外反母趾に対処しながら、矯正具として効果があり、長時間の使用に耐え得る工夫が本考案の特徴であって、
「本考案が工夫するところは、
（１）足趾の第１指と第２指の間に矯正用の楔形のクッションが両指で挟むように設けられ、
（２）この楔形クッションは底部に貼り付けられて固定しているため、両指の上下運動によってもずれることはなく、
（３）底部には薄い材質を用い、足裏との接着が密で、使用感を少なくするのと、
（４）底部からは伸縮性のあるゴム帯で足の甲を覆うように足先だけの突っかけスリッパ様の形状になっており、
（５）軽量で薄形、靴下の中に履き込むので、靴下との一体感があり、ずれたりせず、安定感があり、違和感が無く、
（６）足の親指と他の４指との間が常に一定の間隔で開いている状態を維持し、親指が外側に向かうように習慣付けることで、本来あるべき姿に戻ろうとする自然治癒力を助けることが工夫されており、
以上からなる点を特徴とする外反母趾矯正のための用具である。」